(57)【要約】【課題】学生による融資の利用を効率的かつ確実に支援し、学生にかかる支払いなどの負担を軽減すること。【解決手段】融資情報提供装置２０１は、成績情報取得部４０１と、抽出部４１０と、出力部４１１とを備える。成績情報取得部４０１は、成績情報を取得する。抽出部４１０は、所定の記録媒体に記録されている複数の融資情報の中から、所定の学生が利用可能であり、かつ所定の学生の成績に応じた融資情報を抽出する。また、抽出部４１０は、所定の記録媒体に記録されている複数の支援情報の中から、所定の学生が利用可能であり、かつ所定の学生の成績に応じた支援情報を抽出する。出力部４１１は、抽出部４１０によって抽出された融資情報および支援情報を出力する。【選択図】図４
2007328561.tif 000002
【特許請求の範囲】
【請求項１】
所定の学生に対し、所定のサービスの利用に対する融資に関する情報（以下、「融資情報」という）および所定の融資の利用に対する支援に関する情報（以下、「支援情報」という）を提供する融資情報提供装置であって、
前記所定の学生の成績に関する情報（以下、「成績情報」という）を取得する成績情報取得手段と、
前記成績情報に基づいて、所定の記録媒体に記録されている複数の融資情報の中から、前記所定の学生が利用可能であり、かつ前記所定の学生の成績に応じた融資情報を抽出する融資情報抽出手段と、
前記成績情報に基づいて、所定の記録媒体に記録されている複数の支援情報の中から、前記所定の学生が利用可能であり、かつ前記所定の学生の成績に応じた支援情報を抽出する支援情報抽出手段と、
前記融資情報抽出手段によって抽出された融資情報および前記支援情報抽出手段によって抽出された支援情報を出力する出力手段と、
を備えたことを特徴とする融資情報提供装置。
【請求項２】
前記支援情報抽出手段は、前記融資情報抽出手段によって抽出された融資情報にかかる支援情報を抽出することを特徴とする請求項１に記載の融資情報提供装置。
【請求項３】
前記融資情報は、前記所定の学生の成績に応じた、利率に関する情報が設定されていることを特徴とする請求項１または２に記載の融資情報提供装置。
【請求項４】
前記支援情報は、前記所定の学生の成績に応じた、支払いの援助に関する情報が設定されていることを特徴とする請求項１〜３のいずれか一つに記載の融資情報提供装置。
【請求項５】
前記支援情報は、前記所定の学生の成績に応じた、アルバイトの周旋に関する情報が設定されていることを特徴とする請求項１〜４のいずれか一つに記載の融資情報提供装置。
【請求項６】
前記所定の学生が利用可能な融資情報および支援情報の問い合わせ情報（以下、「問い合わせ情報」という）を取得する問い合わせ情報取得手段をさらに備え、
前記融資情報抽出手段は、前記問い合わせ情報と、前記成績情報とに基づいて、前記所定の記録媒体に記録されている複数の融資情報の中から、前記所定の学生が利用可能であり、かつ前記所定の学生の成績に応じた融資情報を抽出し、
前記支援情報抽出手段は、前記問い合わせ情報と、前記成績情報とに基づいて、前記所定の記録媒体に記録されている複数の支援情報の中から、前記所定の学生が利用可能であり、かつ前記所定の学生の成績に応じた支援情報を抽出することを特徴とする請求項１〜５のいずれか一つに記載の融資情報提供装置。
【請求項７】
前記問い合わせ情報取得手段は、所定の情報端末装置においてＷＥＢブラウザを用いて入力された問い合わせ情報を、当該問い合わせ情報が入力された所定の情報端末装置からインターネットを介して取得し、
前記出力手段は、前記融資情報抽出手段によって抽出された融資情報および前記支援情報抽出手段によって抽出された支援情報を、前記問い合わせ情報が入力された所定の情報端末装置に対してインターネットを介して送信することを特徴とする請求項６に記載の融資情報提供装置。
【請求項８】
融資情報を取得する融資情報取得手段と、
前記融資情報取得手段によって取得された融資情報を前記所定の記録媒体に記録する融資情報記録手段と、
をさらに備えたことを特徴とする請求項１〜７のいずれか一つに記載の融資情報提供装置。
【請求項９】
前記融資情報取得手段は、所定の情報端末装置においてＷＥＢブラウザを用いて入力された融資情報を、前記融資情報が入力された所定の情報端末装置からインターネットを介して取得することを特徴とする請求項８に記載の融資情報提供装置。
【請求項１０】
支援情報を取得する支援情報取得手段と、
前記支援情報取得手段によって取得された支援情報を前記所定の記録媒体に記録する支援情報記録手段と、
をさらに備えたことを特徴とする請求項１〜９のいずれか一つに記載の融資情報提供装置。
【請求項１１】
前記支援情報取得手段は、所定の情報端末装置においてＷＥＢブラウザを用いて入力された支援情報を、前記支援情報が入力された所定の情報端末装置からインターネットを介して取得することを特徴とする請求項１０に記載の融資情報提供装置。
【請求項１２】
所定の学生に対し、所定のサービスの利用に対する融資に関する情報（以下、「融資情報」という）を提供する融資情報提供装置であって、
所定の学生の成績に関する情報（以下、「成績情報」という）を取得する成績情報取得手段と、
前記成績情報に基づいて、所定の記録媒体に記録されている複数の融資情報の中から、前記所定の学生が利用可能であり、かつ前記所定の学生の成績に応じた融資情報を抽出する融資情報抽出手段と、
前記融資情報抽出手段によって抽出された融資情報を出力する出力手段と、
を備えたことを特徴とする融資情報提供装置。
【請求項１３】
所定の学生に対し、所定の融資の利用に対する支援に関する情報（以下、「支援情報」という）を提供する融資情報提供装置であって、
所定の学生の成績に関する情報（以下、「成績情報」という）を取得する成績情報取得手段と、
前記成績情報に基づいて、所定の記録媒体に記録されている複数の支援情報の中から、前記所定の学生が利用可能であり、かつ前記所定の学生の成績に応じた支援情報を抽出する支援情報抽出手段と、
前記支援情報抽出手段によって抽出された支援情報を出力する出力手段と、
を備えたことを特徴とする融資情報提供装置。
【請求項１４】
所定の学生に対し、所定のサービスの利用に対する融資に関する情報（以下、「融資情報」という）および所定の融資の利用に対する支援に関する情報（以下、「支援情報」という）を提供する融資情報提供方法であって、
前記所定の学生の成績に関する情報（以下、「成績情報」という）を取得する成績情報取得工程と、
前記成績情報に基づいて、所定の記録媒体に記録されている複数の融資情報の中から、前記所定の学生が利用可能であり、かつ前記所定の学生の成績に応じた融資情報を抽出する融資情報抽出工程と、
前記成績情報に基づいて、所定の記録媒体に記録されている複数の支援情報の中から、前記所定の学生が利用可能であり、かつ前記所定の学生の成績に応じた支援情報を抽出する支援情報抽出工程と、
前記融資情報抽出工程によって抽出された融資情報および前記支援情報抽出工程によって抽出された支援情報を出力する出力工程と、
を含んだことを特徴とする融資情報提供方法。
【請求項１５】
所定の学生に対し、所定のサービスの利用に対する融資に関する情報（以下、「融資情報」という）を提供する融資情報提供方法であって、
所定の学生の成績に関する情報（以下、「成績情報」という）を取得する成績情報取得工程と、
前記成績情報に基づいて、所定の記録媒体に記録されている複数の融資情報の中から、前記所定の学生が利用可能であり、かつ前記所定の学生の成績に応じた融資情報を抽出する融資情報抽出工程と、
前記融資情報抽出工程によって抽出された融資情報を出力する出力工程と、
を含んだことを特徴とする融資情報提供方法。
【請求項１６】
所定の学生に対し、所定の融資の利用に対する支援に関する情報（以下、「支援情報」という）を提供する融資情報提供方法であって、
所定の学生の成績に関する情報（以下、「成績情報」という）を取得する成績情報取得工程と、
前記成績情報に基づいて、所定の記録媒体に記録されている複数の支援情報の中から、前記所定の学生が利用可能であり、かつ前記所定の学生の成績に応じた支援情報を抽出する支援情報抽出工程と、
前記支援情報抽出工程によって抽出された支援情報を出力する出力工程と、
を含んだことを特徴とする融資情報提供方法。
【請求項１７】
所定の学生に対し、所定のサービスの利用に対する融資に関する情報（以下、「融資情報」という）および所定の融資の利用に対する支援に関する情報（以下、「支援情報」という）を提供する融資情報提供方法であって、
前記所定の学生の成績に関する情報（以下、「成績情報」という）を取得する成績情報取得工程と、
前記成績情報に基づいて、所定の記録媒体に記録されている複数の融資情報の中から、前記所定の学生が利用可能であり、かつ前記所定の学生の成績に応じた融資情報を抽出する融資情報抽出工程と、
前記成績情報に基づいて、所定の記録媒体に記録されている複数の支援情報の中から、前記所定の学生が利用可能であり、かつ前記所定の学生の成績に応じた支援情報を抽出する支援情報抽出工程と、
前記融資情報抽出工程によって抽出された融資情報および前記支援情報抽出工程によって抽出された支援情報を出力する出力工程と、
を含んだ融資情報提供方法をコンピュータに実行させることを特徴とする融資情報提供プログラム。
【請求項１８】
所定の学生に対し、所定のサービスの利用に対する融資に関する情報（以下、「融資情報」という）を提供する融資情報提供方法であって、
所定の学生の成績に関する情報（以下、「成績情報」という）を取得する成績情報取得工程と、
前記成績情報に基づいて、所定の記録媒体に記録されている複数の融資情報の中から、前記所定の学生が利用可能であり、かつ前記所定の学生の成績に応じた融資情報を抽出する融資情報抽出工程と、
前記融資情報抽出工程によって抽出された融資情報を出力する出力工程と、
を含んだ融資情報提供方法をコンピュータに実行させることを特徴とする融資情報提供プログラム。
【請求項１９】
所定の学生に対し、所定の融資の利用に対する支援に関する情報（以下、「支援情報」という）を提供する融資情報提供方法であって、
所定の学生の成績に関する情報（以下、「成績情報」という）を取得する成績情報取得工程と、
前記成績情報に基づいて、所定の記録媒体に記録されている複数の支援情報の中から、前記所定の学生が利用可能であり、かつ前記所定の学生の成績に応じた支援情報を抽出する支援情報抽出工程と、
前記支援情報抽出工程によって抽出された支援情報を出力する出力工程と、
を含んだ融資情報提供方法をコンピュータに実行させることを特徴とする融資情報提供プログラム。
【発明の詳細な説明】
【技術分野】
【０００１】
この発明は、金融機関からの融資に関する情報を学生に対して提供する融資情報提供装置、融資情報提供方法、および融資情報提供プログラムに関する。
【背景技術】
【０００２】
従来、たとえば大学などの教育機関による教育を受けるためには入学金、授業料など多額の学費が必要とされている。また、学費のみならず、留学や予備校などのサービスを利用する場合、さらなる費用が必要となってくる。そのため、多くの学生においては、これらの費用をどのように捻出するかが問題となっていた。
【０００３】
そこで、たとえば学生の成績に応じた奨学金の金額を算出し、この奨学金に関する情報を学生に対して提供する奨学システムが開示されており、大学などの教育機関において学生による勉学促進・学力向上などを目的として利用されている（たとえば下記特許文献１参照。）。
【０００４】
一方、融資の利用希望者の信用情報などに基づいて、複数の金融機関などから収集した融資に関する情報の中から、上記利用希望者にとってできる限り条件の良い情報を抽出し、この情報を上記利用希望者に対して提供する融資仲介システムが開示されている（たとえば下記特許文献２参照。）。
【０００５】
【特許文献１】特開２００２−１０８１８９号公報
【特許文献２】特開２００４−５４３５３号公報
【発明の開示】
【発明が解決しようとする課題】
【０００６】
しかしながら、上記特許文献１に記載の従来技術にあっては、学生に対して提供される奨学金は、多くの場合において、その用途（たとえば授業料の免除など）や金額が限定されている。そのため、多くの学生においては、所望するサービスを利用するための費用をどのように捻出するかといった問題を解決することができず、学業に専念することができないゆえに、学力が低下するといった問題が生じていた。一方、上記特許文献２に記載の従来技術にあっては、学生を対象としたものではないため、学生に対して好適な情報が提供されない、金利が高いなど、学生による融資の利用が困難であるといった問題が生じていた。
【０００７】
この発明は、上述した従来技術による問題点を解消するため、学生に対して好適な融資に関する情報を提供することによって、学生による融資の利用を効率的かつ確実に支援し、学生にかかる支払いなどの負担を軽減することができるうえ、勉学・ボランティア活動・スポーツ・芸術など、各種活動の成績や評価の高い学生に対しては、より好適な融資に関する情報を提供し、学生による各種活動を促進することで、教育機関内において優秀な学生の育成を図ることができる融資情報提供装置、融資情報提供方法、および融資情報提供プログラムを提供することを目的とする。
【課題を解決するための手段】
【０００８】
上述した課題を解決し、目的を達成するため、この発明にかかる融資情報提供装置は、所定の学生に対し、所定のサービスの利用に対する融資に関する情報（以下、「融資情報」という）および所定の融資の利用に対する支援に関する情報（以下、「支援情報」という）を提供する融資情報提供装置であって、前記所定の学生の成績に関する情報（以下、「成績情報」という）を取得する成績情報取得手段と、前記成績情報に基づいて、所定の記録媒体に記録されている複数の融資情報の中から、前記所定の学生が利用可能であり、かつ前記所定の学生の成績に応じた融資情報を抽出する融資情報抽出手段と、前記成績情報に基づいて、所定の記録媒体に記録されている複数の支援情報の中から、前記所定の学生が利用可能であり、かつ前記所定の学生の成績に応じた支援情報を抽出する支援情報抽出手段と、前記融資情報抽出手段によって抽出された融資情報および前記支援情報抽出手段によって抽出された支援情報を出力する出力手段と、を備えたことを特徴とする。
【０００９】
また、この発明にかかる融資情報提供装置は、上記に記載の発明において、前記支援情報抽出手段は、前記融資情報抽出手段によって抽出された融資情報にかかる支援情報を抽出することを特徴とする。
【００１０】
また、この発明にかかる融資情報提供装置は、上記に記載の発明において、前記融資情報は、前記所定の学生の成績に応じた、利率に関する情報が設定されていることを特徴とする。
【００１１】
また、この発明にかかる融資情報提供装置は、上記に記載の発明において、前記支援情報は、前記所定の学生の成績に応じた、支払いの援助に関する情報が設定されていることを特徴とする。
【００１２】
また、この発明にかかる融資情報提供装置は、上記に記載の発明において、前記支援情報は、前記所定の学生の成績に応じた、アルバイトの周旋に関する情報が設定されていることを特徴とする。
【００１３】
また、この発明にかかる融資情報提供装置は、上記に記載の発明において、前記所定の学生が利用可能な融資情報および支援情報の問い合わせ情報（以下、「問い合わせ情報」という）を取得する問い合わせ情報取得手段をさらに備え、前記融資情報抽出手段は、前記問い合わせ情報と、前記成績情報とに基づいて、前記所定の記録媒体に記録されている複数の融資情報の中から、前記所定の学生が利用可能であり、かつ前記所定の学生の成績に応じた融資情報を抽出し、前記支援情報抽出手段は、前記問い合わせ情報と、前記成績情報とに基づいて、前記所定の記録媒体に記録されている複数の支援情報の中から、前記所定の学生が利用可能であり、かつ前記所定の学生の成績に応じた支援情報を抽出することを特徴とする。
【００１４】
また、この発明にかかる融資情報提供装置は、上記に記載の発明において、前記問い合わせ情報取得手段は、所定の情報端末装置においてＷＥＢブラウザを用いて入力された問い合わせ情報を、当該問い合わせ情報が入力された所定の情報端末装置からインターネットを介して取得し、前記出力手段は、前記融資情報抽出手段によって抽出された融資情報および前記支援情報抽出手段によって抽出された支援情報を、前記問い合わせ情報が入力された所定の情報端末装置に対してインターネットを介して送信することを特徴とする。
【００１５】
また、この発明にかかる融資情報提供装置は、上記に記載の発明において、融資情報を取得する融資情報取得手段と、前記融資情報取得手段によって取得された融資情報を前記所定の記録媒体に記録する融資情報記録手段と、をさらに備えたことを特徴とする。
【００１６】
また、この発明にかかる融資情報提供装置は、上記に記載の発明において、前記融資情報取得手段は、所定の情報端末装置においてＷＥＢブラウザを用いて入力された融資情報を、前記融資情報が入力された所定の情報端末装置からインターネットを介して取得することを特徴とする。
【００１７】
また、この発明にかかる融資情報提供装置は、上記に記載の発明において、支援情報を取得する支援情報取得手段と、前記支援情報取得手段によって取得された支援情報を前記所定の記録媒体に記録する支援情報記録手段と、をさらに備えたことを特徴とする。
【００１８】
また、この発明にかかる融資情報提供装置は、上記に記載の発明において、前記支援情報取得手段は、所定の情報端末装置においてＷＥＢブラウザを用いて入力された支援情報を、前記支援情報が入力された所定の情報端末装置からインターネットを介して取得することを特徴とする。
【００１９】
また、この発明にかかる融資情報提供装置は、所定の学生に対し、所定のサービスの利用に対する融資に関する情報（以下、「融資情報」という）を提供する融資情報提供装置であって、所定の学生の成績に関する情報（以下、「成績情報」という）を取得する成績情報取得手段と、前記成績情報に基づいて、所定の記録媒体に記録されている複数の融資情報の中から、前記所定の学生が利用可能であり、かつ前記所定の学生の成績に応じた融資情報を抽出する融資情報抽出手段と、前記融資情報抽出手段によって抽出された融資情報を出力する出力手段と、を備えたことを特徴とする。
【００２０】
また、この発明にかかる融資情報提供装置は、所定の学生に対し、所定の融資の利用に対する支援に関する情報（以下、「支援情報」という）を提供する融資情報提供装置であって、所定の学生の成績に関する情報（以下、「成績情報」という）を取得する成績情報取得手段と、前記成績情報に基づいて、所定の記録媒体に記録されている複数の支援情報の中から、前記所定の学生が利用可能であり、かつ前記所定の学生の成績に応じた支援情報を抽出する支援情報抽出手段と、前記支援情報抽出手段によって抽出された支援情報を出力する出力手段と、を備えたことを特徴とする。
【００２１】
また、この発明にかかる融資情報提供方法は、所定の学生に対し、所定のサービスの利用に対する融資に関する情報（以下、「融資情報」という）および所定の融資の利用に対する支援に関する情報（以下、「支援情報」という）を提供する融資情報提供方法であって、前記所定の学生の成績に関する情報（以下、「成績情報」という）を取得する成績情報取得工程と、前記成績情報に基づいて、所定の記録媒体に記録されている複数の融資情報の中から、前記所定の学生が利用可能であり、かつ前記所定の学生の成績に応じた融資情報を抽出する融資情報抽出工程と、前記成績情報に基づいて、所定の記録媒体に記録されている複数の支援情報の中から、前記所定の学生が利用可能であり、かつ前記所定の学生の成績に応じた支援情報を抽出する支援情報抽出工程と、前記融資情報抽出工程によって抽出された融資情報および前記支援情報抽出工程によって抽出された支援情報を出力する出力工程と、を含んだことを特徴とする。
【００２２】
また、この発明にかかる融資情報提供方法は、所定の学生に対し、所定のサービスの利用に対する融資に関する情報（以下、「融資情報」という）を提供する融資情報提供方法であって、所定の学生の成績に関する情報（以下、「成績情報」という）を取得する成績情報取得工程と、前記成績情報に基づいて、所定の記録媒体に記録されている複数の融資情報の中から、前記所定の学生が利用可能であり、かつ前記所定の学生の成績に応じた融資情報を抽出する融資情報抽出工程と、前記融資情報抽出工程によって抽出された融資情報を出力する出力工程と、を含んだことを特徴とする。
【００２３】
また、この発明にかかる融資情報提供方法は、所定の学生に対し、所定の融資の利用に対する支援に関する情報（以下、「支援情報」という）を提供する融資情報提供方法であって、所定の学生の成績に関する情報（以下、「成績情報」という）を取得する成績情報取得工程と、前記成績情報に基づいて、所定の記録媒体に記録されている複数の支援情報の中から、前記所定の学生が利用可能であり、かつ前記所定の学生の成績に応じた支援情報を抽出する支援情報抽出工程と、前記支援情報抽出工程によって抽出された支援情報を出力する出力工程と、を含んだことを特徴とする。
【００２４】
また、この発明にかかる融資情報提供プログラムは、所定の学生に対し、所定のサービスの利用に対する融資に関する情報（以下、「融資情報」という）および所定の融資の利用に対する支援に関する情報（以下、「支援情報」という）を提供する融資情報提供方法であって、前記所定の学生の成績に関する情報（以下、「成績情報」という）を取得する成績情報取得工程と、前記成績情報に基づいて、所定の記録媒体に記録されている複数の融資情報の中から、前記所定の学生が利用可能であり、かつ前記所定の学生の成績に応じた融資情報を抽出する融資情報抽出工程と、前記成績情報に基づいて、所定の記録媒体に記録されている複数の支援情報の中から、前記所定の学生が利用可能であり、かつ前記所定の学生の成績に応じた支援情報を抽出する支援情報抽出工程と、前記融資情報抽出工程によって抽出された融資情報および前記支援情報抽出工程によって抽出された支援情報を出力する出力工程と、を含んだ融資情報提供方法をコンピュータに実行させることを特徴とする。
【００２５】
また、この発明にかかる融資情報提供プログラムは、所定の学生に対し、所定のサービスの利用に対する融資に関する情報（以下、「融資情報」という）を提供する融資情報提供方法であって、所定の学生の成績に関する情報（以下、「成績情報」という）を取得する成績情報取得工程と、前記成績情報に基づいて、所定の記録媒体に記録されている複数の融資情報の中から、前記所定の学生が利用可能であり、かつ前記所定の学生の成績に応じた融資情報を抽出する融資情報抽出工程と、前記融資情報抽出工程によって抽出された融資情報を出力する出力工程と、を含んだ融資情報提供方法をコンピュータに実行させることを特徴とする。
【００２６】
また、この発明にかかる融資情報提供プログラムは、所定の学生に対し、所定の融資の利用に対する支援に関する情報（以下、「支援情報」という）を提供する融資情報提供方法であって、所定の学生の成績に関する情報（以下、「成績情報」という）を取得する成績情報取得工程と、前記成績情報に基づいて、所定の記録媒体に記録されている複数の支援情報の中から、前記所定の学生が利用可能であり、かつ前記所定の学生の成績に応じた支援情報を抽出する支援情報抽出工程と、前記支援情報抽出工程によって抽出された支援情報を出力する出力工程と、を含んだ融資情報提供方法をコンピュータに実行させることを特徴とする。
【発明の効果】
【００２７】
本発明によれば、学生に対して好適な融資に関する情報を提供することによって、学生による融資の利用を効率的かつ確実に支援し、学生にかかる支払いなどの負担を軽減することができるうえ、勉学・ボランティア活動・スポーツ・芸術など、各種活動の成績や評価の高い学生に対しては、より好適な融資に関する情報を提供し、学生による各種活動を促進することで、教育機関内において優秀な学生の育成を図ることができる融資情報提供装置、融資情報提供方法、および融資情報提供プログラムが得られるという効果を奏する。
【発明を実施するための最良の形態】
【００２８】
以下に添付図面を参照して、この発明にかかる融資情報提供装置、融資情報提供方法、および融資情報提供プログラムの好適な実施の形態を詳細に説明する。
【００２９】
（融資情報提供処理の概要）
まず、この発明の実施の形態にかかる融資情報提供装置、融資情報提供方法、および融資情報提供プログラムによって実施される融資情報提供処理の概要について説明する。図１は、この発明の本実施の形態にかかる融資情報提供装置、融資情報提供方法、および融資情報提供プログラムによって実施される融資情報提供処理の概要を示す説明図である。
【００３０】
図１において、（１）まず、一または複数のサービス提供企業によって、大学などの教育機関に在籍する学生に対して提供されるサービスに関する情報（以下、「サービス情報」という）が、上記教育機関に備えられたデータベースなどに登録される。ここで、登録されるサービス情報は、上記教育機関によって提供されるサービスに関するサービス情報であっても良い。
【００３１】
（２）つぎに、一または複数の融資企業によって、学生による上記サービス提供企業によって提供されたサービスの利用に対する融資に関する情報（以下、「融資情報」という）が上記教育機関に備えられたデータベースなどに登録される。
【００３２】
ここで、融資情報には、学生の成績に応じた当該融資情報にかかる融資に適用される利率に関する情報が設定されている。また、融資情報には、この融資情報にかかる融資を利用するための、学生の成績に関する利用条件が設定されている。ここで、登録される融資情報は、上記教育機関または上記サービス提供企業によって提供される融資に関する融資情報であっても良い。
【００３３】
（３）つぎに、一または複数の支援企業によって、学生による前記融資企業によって提供された融資の利用に対する支援に関する情報（以下、「支援情報」という）が上記教育機関に備えられたデータベースなどに登録される。ここで、支援情報には、たとえば学生の成績に応じた上記支援企業による支払いの一部または全額負担に関する情報、学生の成績に応じたアルバイトの周旋に関する情報などが設定されている。
【００３４】
また、支援情報には、この支援情報にかかる支援を利用するための、学生の成績に関する利用条件が設定されている。ここで、登録される支援情報は、上記教育機関、上記サービス提供企業または上記融資企業によって提供される支援に関する支援情報であっても良い。そして、上述した各種情報（サービス情報、融資情報、支援情報）の登録処理が繰り返しおこなわれることによって、上記教育機関に備えられたデータベースなどに上記各種情報が蓄積される。
【００３５】
（４）一方、教育機関においては、たとえば学生による各種情報（サービス情報、融資情報、支援情報）の問い合わせがあった際に、データベースなどに登録された上記各種情報の中から、上記学生によって利用可能であり、かつ上記学生の成績に応じた各種情報が抽出され、上記所定の学生に対して提供される。
【００３６】
（５）そして、上記各種情報の提供を受けた学生は、サービス情報の提供を受けた場合、提供されたサービス情報にかかるサービスの中から選択した所望するサービスに対する申し込みをおこなうことによって、当該サービスを利用することができる。（６）また、上記各種情報の提供を受けた学生は、融資情報の提供を受けた場合、提供された融資情報にかかる融資の中から選択した所望する融資に対する申し込みをおこなうことによって、当該融資を利用することができる。（７）さらに、上記各種情報の提供を受けた学生は、支援情報の提供を受けた場合、提供された支援情報にかかる支援の中から選択した所望する支援に対する申し込みをおこなうことによって、当該支援を利用することができる。
【００３７】
（全体システムの構成）
つぎに、この発明の実施の形態にかかる融資情報提供装置を含む全体システムの構成について説明する。図２は、この発明の本実施の形態にかかる融資情報提供装置を含む全体システムの構成を示す説明図である。
【００３８】
図２において、融資情報管理システム２００は、Ｓ大学に備えられたサーバ（融資情報提供装置）２０１と、学生の成績に関する情報（以下、「成績情報」という）の登録をおこなう教授Ａが保有する端末２０２と、Ｓ大学に在籍する学生Ａが保有する端末２０３と、Ｓ大学と提携され、Ｓ大学に対して各種情報（サービス情報、融資情報、支援情報）を提供する各提携企業（Ｎ英会話教室、Ｊ旅行会社、Ｍ銀行、Ｐ金融業者、Ｋ光学機器メーカー）に備えられた端末２０４，２０５，２０６，２０７，２０８とによって構成されており、上記各端末２０２〜２０８のそれぞれがインターネットなどのネットワーク２２０によってサーバ２０１と接続されたクライアント／サーバ型のシステムである。
【００３９】
ここで、図２に示す融資情報管理システム２００は、便宜上、一部の端末（端末２０２〜２０８）とサーバ２０１とによるシステム構成を示したものであり、サーバ２０１がさらに多くの端末（すなわち、さらに多くの教授、学生や提携企業など）と接続されていてもよいことは言うまでもない。また、成績情報は、上記教授Ａによって登録されるものに限らず、たとえば学生課の職員によって代理で登録されるものや、ボランティア活動などの学外活動の評価を示すものであれば、当該活動の評価担当者などから登録されるものであってもよい。
【００４０】
この融資情報管理システム２００において、サーバ２０１は、Ｓ大学に備えられた装置であり、融資情報提供処理全体を司る。また、サーバ２０１は、たとえばＳ大学の教授Ａが保有する端末２０２から送信された所定の学生の成績に関する情報（以下、「成績情報」という）を受信して、この成績情報をサーバ２０１の内部に設けられた成績情報管理ＤＢ２１１に記録する。
【００４１】
また、サーバ２０１は、たとえば各提携企業（Ｎ英会話教室、Ｊ旅行会社、Ｍ銀行、Ｐ金融業者、Ｋ光学機器メーカー）に設けられた端末２０４〜２０８のいずれかから送信されたサービス情報を受信して、このサービス情報をサーバ２０１の内部に設けられたサービス情報管理ＤＢ２１０に記録する。
【００４２】
また、サーバ２０１は、たとえば各提携企業（Ｎ英会話教室、Ｊ旅行会社、Ｍ銀行、Ｐ金融業者、Ｋ光学機器メーカー）に設けられた端末２０４〜２０８のいずれかから送信された融資情報を受信して、この融資情報をサーバ２０１の内部に設けられた融資情報管理ＤＢ２１２に記録する。
【００４３】
また、サーバ２０１は、たとえば各提携企業（Ｎ英会話教室、Ｊ旅行会社、Ｍ銀行、Ｐ金融業者、Ｋ光学機器メーカー）に設けられた端末２０４〜２０８のいずれかから送信された支援情報を受信して、この支援情報をサーバ２０１の内部に設けられた支援情報管理ＤＢ２１３に記録する。
【００４４】
そして、サーバ２０１は、たとえば学生Ａが保有する端末２０３から送信された、学生Ａによって利用することが可能な各種情報（融資情報、サービス情報および支援情報）の問い合わせ情報（以下、「問い合わせ情報」という）を受信した際、この問い合わせ情報および成績情報管理ＤＢ２１１に記録された学生Ａの成績情報に基づいて、学生Ａによって利用することが可能な各種情報（融資情報、サービス情報および支援情報）を各種データベース（融資情報管理ＤＢ２１２、サービス情報管理ＤＢ２１０および支援情報管理ＤＢ２１３）から抽出する。そして、サーバ２０１は、抽出された各種情報を学生Ａが保有する端末２０３へ送信する。
【００４５】
ここで、本実施の形態におけるサーバ２０１は、ＷＥＢアプリケーション・サーバとしても機能する。たとえばサーバ２０１は、インターネットに接続され、ＷＥＢブラウザを備えた各種情報端末装置から送信された各種処理要求に応じ、各種情報の入力画面や各種情報の表示画面などを、ＷＥＢブラウザで閲覧可能な形式（たとえばＨＴＭＬ形式）で上記各種情報端末装置に送信する。
【００４６】
なお、上記各種データベース（サービス情報管理ＤＢ２１０、成績情報管理ＤＢ２１１、融資情報管理ＤＢ２１２、支援情報管理ＤＢ２１３）は、サーバ２０１の内部に設けられているものに限らず、たとえばネットワーク２２０などによってサーバ２０１と接続されたデータベース・サーバの内部に設けられているものであってもよい。
【００４７】
一方、融資情報管理システム２００において、上記各端末２０２〜２０８は、ディスプレイや操作ボタンなどのユーザ・インタフェースを備えたパーソナル・コンピュータなどの情報端末装置である。この各端末２０２〜２０８は、たとえば登録画面などを表示して、ユーザ（たとえばＳ大学の教授Ａ、学生Ａ、上記各提携企業の担当者など）による情報（たとえば成績情報、サービス情報、融資情報、支援情報、問い合わせ情報など）の入力を受け付ける。また、これらの登録画面は、たとえばユーザを一意に識別するためのユーザＩＤおよびパスワードによって利用が制限される。
【００４８】
そして、各端末２０２〜２０８は、ユーザによって入力された各種情報をネットワーク２２０を介してサーバ２０１へ送信する。なお、各端末２０２〜２０８において入力された各種情報は、たとえば１トランザクション・データごとに即時にサーバ２０１へ送信されてもよく、バッチ処理によって定期的に、またはユーザ任意のタイミングで一括してサーバ２０１へ送信されてもよい。
【００４９】
また、サーバ２０１への各種情報の受け渡し方法は、ネットワーク２２０を介したデータ通信による方法に限らず、たとえば各端末２０２〜２０８において各種情報をＣＤ／ＤＶＤディスク、カセットテープ、メモリーカードなどの可搬性を有する記録媒体に記録し、この記録媒体を所定のユーザ（たとえばサーバ２０１の管理者）へ送付する方法であってもよい。
【００５０】
また、各端末２０２〜２０８は、サーバ２０１から送信された各種情報をネットワーク２２０を介して受信する。そして、各端末２０２〜２０８は、受信した各種情報をディスプレイの画面上に表示する、プリンタを介して所定の用紙に印刷するなど、受信した情報の出力をおこなう。
【００５１】
ここで、本実施の形態における各端末２０２〜２０８は、ＷＥＢクライアントとしても機能する。たとえば各端末２０２〜２０８は、ＷＥＢブラウザを用いて入力された各種情報を、インターネットに接続されたサーバ２０１などの各種ＷＥＢアプリケーション・サーバに対して送信する。また、たとえば各端末２０２〜２０８は、上記各種ＷＥＢアプリケーション・サーバから送信された各種情報の入力画面や各種情報の表示画面などを、ＷＥＢブラウザを用いて表示する。
【００５２】
なお、各端末２０２〜２０８は、パーソナル・コンピュータに限らず、たとえばＷＥＢブラウザを備えた携帯電話など、ネットワーク２２０に接続可能であり、かつ上記各種処理をおこなうことが可能な装置であれば、その装置形態、保有者、設置場所などは問わない。
【００５３】
また、サーバ２０１からの各端末２０２〜２０８に対する、各種情報の受け渡し方法は、ネットワーク２２０を介したデータ通信による方法に限らず、たとえばサーバ２０１において各種情報を所定の用紙に印刷し、郵送やファクシミリなどを用いて所定のユーザ（たとえばＳ大学の教授Ａ、学生Ａ、上記各提携企業の担当者など）へ送付する方法であってもよい。
【００５４】
（融資情報提供装置２０１のハードウェア構成）
つぎに、本実施の形態にかかる融資情報提供方法を実現する融資情報提供装置２０１のハードウェア構成について説明する。図３は、融資情報提供装置２０１のハードウェア構成の一例を示すブロック図である。
【００５５】
図３において、融資情報提供装置２０１は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、ＨＤＤ（Ｈａｒｄ  Ｄｉｓｃ  Ｄｒｉｖｅ）３０４と、ＨＤ（Ｈａｒｄ  Ｄｉｓｃ）３０５と、ＦＤＤ（Ｆｌｅｘｉｂｌｅ  Ｄｉｓｃ  Ｄｒｉｖｅ）３０６と、ＦＤ（Ｆｌｅｘｉｂｌｅ  Ｄｉｓｃ）３０７と、ディスプレイ３０８と、Ｉ／Ｆ（インタフェース）３０９と、キーボード３１０と、マウス３１１と、スキャナ３１２と、プリンタ３１３とを備えて構成されており、上記各構成部はバス３００によってそれぞれ接続されている。
【００５６】
ＣＰＵ３０１は、融資情報提供装置２０１の全体の制御を司る。ＲＯＭ３０２は、各種制御プログラムなどを記録する。ＲＡＭ３０３は、ＣＰＵ３０１のワークエリアとして使用される。ＨＤＤ３０４はＣＰＵ３０１の制御命令に従って、ＨＤ３０５に対するデータの読み取り／書き込みを制御する。ＨＤ３０５は、ＨＤＤ３０４の制御で書き込まれたデータを記録する。ＦＤＤ３０６はＣＰＵ３０１の制御命令に従って、ＦＤ３０７に対するデータの読み取り／書き込みの制御をおこなう。
【００５７】
ＦＤ３０７は、ＦＤＤ３０６の制御で書き込まれたデータを記録する着脱可能な記録媒体である。着脱可能な記録媒体として、ＦＤ３０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。
【００５８】
ディスプレイ３０８は、テキストデータ、画像データなどの各種情報を表示する。ディスプレイ３０８は、たとえばＴＦＴ（Ｔｈｉｎ  Ｆｉｌｍ  Ｔｒａｎｓｉｓｔｏｒ）液晶ディスプレイのほか、ＣＲＴ（Ｃａｔｈｏｄｅ  Ｒａｙ  Ｔｕｂｅ）やプラズマディスプレイなどであってもよい。
【００５９】
Ｉ／Ｆ３０９は、通信回線を通じてネットワーク２２０に接続され、ネットワーク２２０を介して、他の情報処理装置（たとえば図２に示した端末２０２〜２０８）、各種データベース（たとえば図２に示したサービス情報管理ＤＢ２１０、成績情報管理ＤＢ２１１、融資情報管理ＤＢ２１２、支援情報管理ＤＢ２１３）などに接続される。
【００６０】
そして、Ｉ／Ｆ３０９は、ネットワーク２２０と装置内部とのインタフェースを司り、他の情報処理装置、各種データベースなどとのデータの入出力を制御する。Ｉ／Ｆ３０９は、たとえばモデムやＬＡＮアダプタなどである。また、Ｉ／Ｆ３０９は、ＵＳＢなどの外部入出力としても用いることができる。
【００６１】
キーボード３１０およびマウス３１１は、各種データの入力・設定などに用いる。スキャナ３１２は、画像情報を光学的に読み取る。プリンタ３１３は、たとえば支援情報や、融資情報などの情報を印刷する。プリンタ３１３は、たとえばレーザプリンタやインクジェットプリンタなどである。
【００６２】
（融資情報提供装置２０１の機能的構成）
つぎに、本実施の形態にかかる融資情報提供装置２０１の機能的構成について説明する。図４は、この発明の本実施の形態にかかる融資情報提供装置２０１の機能的構成の一例を示すブロック図である。
【００６３】
図４において、融資情報提供装置２０１は、成績情報取得部４０１と、成績情報記録部４０２と、サービス情報取得部４０３と、サービス情報記録部４０４と、融資情報取得部４０５と、融資情報記録部４０６と、支援情報取得部４０７と、支援情報記録部４０８と、問い合わせ情報取得部４０９と、抽出部４１０と、出力部４１１と、サービス情報管理ＤＢ２１０と、成績情報管理ＤＢ２１１と、融資情報管理ＤＢ２１２と、支援情報管理ＤＢ２１３とによって構成されている。
【００６４】
図４において、成績情報取得部４０１は、成績情報を取得する。成績情報取得部４０１は、たとえば図２に示したＳ大学の教授Ａが保有する端末２０２から送信された成績情報をネットワーク２２０を介して受信することによって成績情報を取得する。成績情報取得部４０１は、具体的には、たとえば図３に示したＲＯＭ３０２、ＲＡＭ３０３、ＨＤ３０５、ＦＤ３０７に記録されたプログラムをＣＰＵ３０１が実行することによって制御されたＩ／Ｆ３０９によってその機能を実現する。
【００６５】
成績情報記録部４０２は、成績情報取得部４０１によって取得された成績情報を成績情報管理ＤＢ２１１に記録する。成績情報記録部４０２は、具体的には、たとえば図３に示したＲＯＭ３０２、ＲＡＭ３０３、ＨＤ３０５、ＦＤ３０７に記録されたプログラムをＣＰＵ３０１が実行することによってその機能を実現する。
【００６６】
サービス情報取得部４０３は、サービス情報を取得する。サービス情報取得部４０３は、たとえば図２に示した各提携企業（Ｎ英会話教室、Ｊ旅行会社、Ｍ銀行、Ｐ金融業者、Ｋ光学機器メーカー）に備えられた端末２０４〜２０８のいずれかから送信されたサービス情報をネットワーク２２０を介して受信することによってサービス情報を取得する。サービス情報取得部４０３は、具体的には、たとえば図３に示したＲＯＭ３０２、ＲＡＭ３０３、ＨＤ３０５、ＦＤ３０７に記録されたプログラムをＣＰＵ３０１が実行することによって制御されたＩ／Ｆ３０９によってその機能を実現する。
【００６７】
サービス情報記録部４０４は、サービス情報取得部４０３によって取得されたサービス情報をサービス情報管理ＤＢ２１０に記録する。サービス情報記録部４０４は、具体的には、たとえば図３に示したＲＯＭ３０２、ＲＡＭ３０３、ＨＤ３０５、ＦＤ３０７に記録されたプログラムをＣＰＵ３０１が実行することによってその機能を実現する。
【００６８】
融資情報取得部４０５は、融資情報を取得する。融資情報取得部４０５は、たとえば図２に示した各提携企業（Ｎ英会話教室、Ｊ旅行会社、Ｍ銀行、Ｐ金融業者、Ｋ光学機器メーカー）に備えられた端末２０４〜２０８のいずれかから送信された融資情報をネットワーク２２０を介して受信することによって融資情報を取得する。融資情報取得部４０５は、具体的には、たとえば図３に示したＲＯＭ３０２、ＲＡＭ３０３、ＨＤ３０５、ＦＤ３０７に記録されたプログラムをＣＰＵ３０１が実行することによって制御されたＩ／Ｆ３０９によってその機能を実現する。
【００６９】
融資情報記録部４０６は、融資情報取得部４０５によって取得された融資情報を融資情報管理ＤＢ２１２に記録する。融資情報記録部４０６は、具体的には、たとえば図３に示したＲＯＭ３０２、ＲＡＭ３０３、ＨＤ３０５、ＦＤ３０７に記録されたプログラムをＣＰＵ３０１が実行することによってその機能を実現する。
【００７０】
支援情報取得部４０７は、支援情報を取得する。支援情報取得部４０７は、たとえば図２に示した各提携企業（Ｎ英会話教室、Ｊ旅行会社、Ｍ銀行、Ｐ金融業者、Ｋ光学機器メーカー）に備えられた端末２０４〜２０８のいずれかから送信された支援情報をネットワーク２２０を介して受信することによって支援情報を取得する。支援情報取得部４０７は、具体的には、たとえば図３に示したＲＯＭ３０２、ＲＡＭ３０３、ＨＤ３０５、ＦＤ３０７に記録されたプログラムをＣＰＵ３０１が実行することによって制御されたＩ／Ｆ３０９によってその機能を実現する。
【００７１】
支援情報記録部４０８は、支援情報取得部４０７によって取得された支援情報を支援情報管理ＤＢ２１３に記録する。支援情報記録部４０８は、具体的には、たとえば図３に示したＲＯＭ３０２、ＲＡＭ３０３、ＨＤ３０５、ＦＤ３０７に記録されたプログラムをＣＰＵ３０１が実行することによってその機能を実現する。
【００７２】
問い合わせ情報取得部４０９は、問い合わせ情報を取得する。問い合わせ情報取得部４０９は、たとえば図２に示した学生Ａが保有する端末２０３から送信された問い合わせ情報をネットワーク２２０を介して受信することによって問い合わせ情報を取得する。問い合わせ情報取得部４０９は、具体的には、たとえば図３に示したＲＯＭ３０２、ＲＡＭ３０３、ＨＤ３０５、ＦＤ３０７に記録されたプログラムをＣＰＵ３０１が実行することによって制御されたＩ／Ｆ３０９によってその機能を実現する。
【００７３】
抽出部４１０は、問い合わせ情報取得部４０９によって取得された問い合わせ情報と、成績情報管理ＤＢ２１１に記録されている成績情報とに基づいて、融資情報管理ＤＢ２１２に記録されている複数の融資情報の中から、所定の学生が利用可能な融資情報を抽出する。また、抽出部４１０は、融資情報管理ＤＢ２１２から抽出された融資情報に基づいて、サービス情報管理ＤＢ２１０に記録されている複数のサービス情報の中から、融資情報管理ＤＢ２１２から抽出された融資情報にかかるサービス情報を抽出する。
【００７４】
さらに、抽出部４１０は、問い合わせ情報取得部４０９によって取得された問い合わせ情報と、成績情報管理ＤＢ２１１に記録されている成績情報と、融資情報管理ＤＢ２１２から抽出した融資情報に基づいて、支援情報管理ＤＢ２１３に記録されている複数の支援情報の中から、融資情報管理ＤＢ２１２から抽出された融資情報にかかり、かつ所定の学生が利用可能な支援情報を抽出する。抽出部４１０は、具体的には、たとえば図３に示したＲＯＭ３０２、ＲＡＭ３０３、ＨＤ３０５、ＦＤ３０７に記録されたプログラムをＣＰＵ３０１が実行することによってその機能を実現する。
【００７５】
出力部４１１は、抽出部４１０によって抽出された融資情報、サービス情報および支援情報を出力（たとえば所定の用紙へ印刷、問い合わせ情報の送信元の端末へ送信）する。出力部４１１は、具体的には、たとえば図３に示したＲＯＭ３０２、ＲＡＭ３０３、ＨＤ３０５、ＦＤ３０７に記録されたプログラムをＣＰＵ３０１が実行することによって制御されたＩ／Ｆ３０９およびプリンタ３１３によってその機能を実現する。
【００７６】
サービス情報管理ＤＢ２１０は、サービス情報を記録する。サービス情報は、サービス情報記録部４０４によってサービス情報管理ＤＢ２１０に記録される。サービス情報管理ＤＢ２１０に記録されたサービス情報は、抽出部４１０によって読み取られ、所定の学生が利用可能な融資情報およびこの融資情報にかかるサービス情報の抽出処理に利用される。
【００７７】
また、サービス情報管理ＤＢ２１０に記録されたサービス情報は、たとえば各種情報端末装置などに対して送信され、融資情報および支援情報を入力する際の、融資対象サービスおよび融資支援対象サービスを選択するための情報として利用される。サービス情報管理ＤＢ２１０は、具体的には、たとえば図３に示したＲＯＭ３０２、ＲＡＭ３０３、ＨＤ３０５、ＦＤ３０７によってその機能を実現する。
【００７８】
成績情報管理ＤＢ２１１は、成績情報を記録する。成績情報は、成績情報記録部４０２によって成績情報管理ＤＢ２１１に記録される。成績情報管理ＤＢ２１１に記録された成績情報は、抽出部４１０によって読み取られ、所定の学生が利用可能な融資情報および支援情報の抽出処理に利用される。成績情報管理ＤＢ２１１は、具体的には、たとえば図３に示したＲＯＭ３０２、ＲＡＭ３０３、ＨＤ３０５、ＦＤ３０７によってその機能を実現する。
【００７９】
融資情報管理ＤＢ２１２は、融資情報を記録する。融資情報は、融資情報記録部４０６によって融資情報管理ＤＢ２１２に記録される。融資情報管理ＤＢ２１２に記録された融資情報は、抽出部４１０によって読み取られ、所定の学生が利用可能な融資情報の抽出処理に利用される。融資情報管理ＤＢ２１２は、具体的には、たとえば図３に示したＲＯＭ３０２、ＲＡＭ３０３、ＨＤ３０５、ＦＤ３０７によってその機能を実現する。
【００８０】
支援情報管理ＤＢ２１３は、支援情報を記録する。支援情報は、支援情報記録部４０８によって支援情報管理ＤＢ２１３に記録される。支援情報管理ＤＢ２１３に記録された支援情報は、抽出部４１０によって読み取られ、所定の学生が利用可能な融資情報にかかり、かつ所定の学生が利用可能な支援情報の抽出処理に利用される。支援情報管理ＤＢ２１３は、具体的には、たとえば図３に示したＲＯＭ３０２、ＲＡＭ３０３、ＨＤ３０５、ＦＤ３０７によってその機能を実現する。
【００８１】
（融資情報提供装置２０１による各種情報の登録処理の手順）
つぎに、融資情報提供装置２０１による各種情報の登録処理の手順について説明する。図５は、この発明の本実施の形態にかかる融資情報提供装置２０１による各種情報の登録処理の手順を示すフローチャートである。
【００８２】
まず、成績情報取得部４０１によって、成績情報を取得したか否か（すなわち、Ｓ大学の教授Ａが保有する端末２０２において入力された成績情報を受信したか否か）を判断する（ステップＳ５０１）。
【００８３】
ステップＳ５０１において、成績情報を取得したと判断した場合（ステップＳ５０１：Ｙｅｓ）は、成績情報記録部４０２によって、ステップＳ５０１で取得された成績情報を成績情報管理ＤＢ２１１に記録して（ステップＳ５０２）、一連の処理を終了する。なお、ここで一連の処理を終了せずに、ステップＳ５０１へ戻り、引き続き各種情報の登録処理をおこなうようにしてもよい。また、成績情報の登録画面の一例については図６を用いて後述する。また、成績情報管理ＤＢ２１１に記録された成績情報の一例については図７を用いて後述する。
【００８４】
一方、ステップＳ５０１において、成績情報を取得していないと判断した場合（ステップＳ５０１：Ｎｏ）は、サービス情報取得部４０３によって、サービス情報を取得したか否か（すなわち、各提携企業に備えられた端末２０４〜２０８のいずれかにおいて入力されたサービス情報を受信したか否か）を判断する（ステップＳ５０３）。
【００８５】
ステップＳ５０３において、サービス情報を取得したと判断した場合（ステップＳ５０３：Ｙｅｓ）は、サービス情報記録部４０４によって、ステップＳ５０３で取得されたサービス情報をサービス情報管理ＤＢ２１０に記録して（ステップＳ５０４）、一連の処理を終了する。
【００８６】
なお、ここで一連の処理を終了せずに、ステップＳ５０１へ戻り、引き続き各種情報の登録処理をおこなうようにしてもよい。また、サービス情報の登録画面の一例については図８を用いて後述する。また、サービス情報管理ＤＢ２１０に記録されたサービス情報の一例については図９を用いて後述する。
【００８７】
一方、ステップＳ５０３において、サービス情報を取得していないと判断した場合（ステップＳ５０３：Ｎｏ）は、融資情報取得部４０５によって、融資情報を取得したか否か（すなわち、各提携企業に備えられた端末２０４〜２０８のいずれかにおいて入力された融資情報を受信したか否か）を判断する（ステップＳ５０５）。
【００８８】
ステップＳ５０５において、融資情報を取得したと判断した場合（ステップＳ５０５：Ｙｅｓ）は、融資情報記録部４０６によって、ステップＳ５０５で取得された融資情報を融資情報管理ＤＢ２１２に記録して（ステップＳ５０６）、一連の処理を終了する。なお、ここで一連の処理を終了せずに、ステップＳ５０１へ戻り、引き続き各種情報の登録処理をおこなうようにしてもよい。また、融資情報の登録画面の一例については図１０を用いて後述する。また、融資情報管理ＤＢ２１２に記録された融資情報の一例については図１１を用いて後述する。
【００８９】
一方、ステップＳ５０５において融資情報を取得していないと判断した場合（ステップＳ５０５：Ｎｏ）は、支援情報取得部４０７によって、支援情報を取得したか否か（すなわち、各提携企業に備えられた端末２０４〜２０８のいずれかにおいて入力された支援情報を受信したか否か）を判断する（ステップＳ５０７）。
【００９０】
ステップＳ５０７において、支援情報を取得したと判断した場合（ステップＳ５０７：Ｙｅｓ）は、支援情報記録部４０８によって、ステップＳ５０７で取得された支援情報を支援情報管理ＤＢ２１３に記録して（ステップＳ５０８）、一連の処理を終了する。なお、ここで一連の処理を終了せずに、ステップＳ５０１へ戻り、引き続き各種情報の登録処理をおこなうようにしてもよい。また、支援情報の登録画面の一例については図１２を用いて後述する。また、支援情報管理ＤＢ２１３に記録された支援情報の一例については図１３を用いて後述する。
【００９１】
一方、ステップＳ５０７において、支援情報を取得していないと判断した場合（ステップＳ５０７：Ｎｏ）は、ステップＳ５０８を飛ばして、一連の処理を終了する。なお、ここで一連の処理を終了せずに、ステップＳ５０１へ戻り、引き続き各種情報の登録処理をおこなうようにしてもよい。
【００９２】
（成績情報の登録画面の一例）
つぎに、成績情報の登録画面の一例について説明する。図６は、成績情報の登録画面の一例を示す説明図である。
【００９３】
図６において、画面６００（成績情報登録画面）は、Ｓ大学の教授Ａが保有する端末２０２において、学籍番号「０００００１」を有する学生「○○  △△」の成績情報を登録する際に表示される画面であり、選択欄６０１と、選択欄６０２と、入力欄６０３と、登録ボタン６０４とによって構成されている。たとえば選択欄６０１においては成績情報の登録対象科目が一つまたは複数選択される。ここで成績情報の登録対象科目は、授業科目に限らず、たとえば部活動や、ボランティアなどの学外活動を選択することができるようにしてもよい。
【００９４】
また、選択欄６０２においては、選択欄６０１において選択された科目のそれぞれに対する成績が選択される。ここで選択される成績は、たとえば学力テストの成績、授業の出席率、社会への貢献度などに基づいて、各科目の評価担当者（たとえば、Ｓ大学の教授Ａや、ボランティア活動先の団体）などによって、１０段階（１〜１０）に評価されたものである。
【００９５】
また、入力欄６０３においては、たとえば選択欄６０１において選択された科目のそれぞれに対するコメントが入力される。そして図６に示すように成績情報が選択または入力された状態のまま登録ボタン６０４が押下されることによって、この成績情報がネットワーク２２０を介して融資情報提供装置２０１へ送信される。さらに成績情報を受信した融資情報提供装置２０１においては、図５を用いて説明した手順による各種情報の登録処理がおこなわれることによって、この成績情報が成績情報管理ＤＢ２１１に記録される。
【００９６】
このような成績情報登録画面は、たとえばＨＴＭＬ言語などの汎用的な言語によって記述され、ＷＥＢブラウザを備えたあらゆる情報端末装置によって表示可能なＷＥＢページであり、サーバ２０１から動的に送信され、端末２０２に備えられたＷＥＢブラウザによって画面上に表示されたものである。
【００９７】
なお、たとえばこのような成績情報登録画面を介さずに成績情報をデータファイルに記録して、このデータファイルをサーバ２０１に送信するようにしてもよい。また、たとえばすでに成績情報管理ＤＢ２１１に記録されている成績情報を表示して、この成績情報を更新（追加、変更、削除）することができるようにしてもよい。
【００９８】
（成績情報管理ＤＢ２１１に記録された成績情報の一例）
つぎに、成績情報管理ＤＢ２１１に記録された成績情報の一例について説明する。図７は、成績情報管理ＤＢ２１１に記録された成績情報の一例を示す説明図である。この成績情報は、図６を用いて説明したように、Ｓ大学の教授Ａが保有する端末２０２から送信された成績情報を、融資情報提供装置２０１が受信して、図５を用いて説明した各種情報の登録処理が実行されたことによって、成績情報管理ＤＢ２１１に記録されたものである。
【００９９】
図７において、成績情報管理ＤＢ２１１に記録された成績情報を示す表７００は、「学籍番号」と、「氏名」と、「科目」と、「スコア」と、「備考」とによって構成されている。この表７００には、図６を用いて説明したように画面６００（成績情報登録画面）において入力された成績情報が設定される。このように、成績情報管理ＤＢ２１１に記録された成績情報は、たとえば抽出部４１０によって読み取られ、所定の学生によって利用することができる各種情報（融資情報、支援情報）の抽出処理をおこなう際の抽出条件として利用される。
【０１００】
（サービス情報の登録画面の一例）
つぎに、サービス情報の登録画面の一例について説明する。図８は、サービス情報の登録画面の一例を示す説明図である。
【０１０１】
図８において、画面８００（サービス情報登録画面）は、企業ＩＤ「Ｃ００１」を有する企業「Ｎ英会話教室」に備えられた端末２０４においてサービス情報を登録する際に表示される画面であり、入力欄８０１と、入力欄８０２と、登録ボタン８０３とによって構成されている。
【０１０２】
たとえば入力欄８０１においては、登録されるサービスのサービス名が入力される。また選択欄８０２においては、入力欄８０１において入力されたサービス名のそれぞれに対するサービスの内容が入力される。そして図８に示すようにサービス情報が入力された状態のまま登録ボタン８０３が押下されることによって、このサービス情報がネットワーク２２０を介して融資情報提供装置２０１へ送信される。さらにサービス情報を受信した融資情報提供装置２０１においては、図５を用いて説明した手順による各種情報の登録処理がおこなわれることによって、このサービス情報がサービス情報管理ＤＢ２１０に記録される。
【０１０３】
たとえば図８に示すように、入力欄８０１において「お茶の間留学」が入力され、入力欄８０２において「お茶の間にいながら英会話がまなべます。」が入力された場合、「お茶の間にいながら英会話がまなべます。」といった内容のサービス「お茶の間留学」に関するサービス情報が、融資情報提供装置２０１に送信され、このサービス情報が、サービス情報管理ＤＢ２１０に記録される。
【０１０４】
このようなサービス情報登録画面は、たとえばＨＴＭＬ言語などの汎用的な言語によって記述され、ＷＥＢブラウザを備えたあらゆる情報端末装置によって表示可能なＷＥＢページであり、サーバ２０１から動的に送信され、端末２０４に備えられたＷＥＢブラウザによって画面上に表示されたものである。
【０１０５】
なお、たとえばこのようなサービス情報登録画面を介さずにサービス情報をデータファイルに記録して、このデータファイルをサーバ２０１に送信するようにしてもよい。また、たとえばすでにサービス情報管理ＤＢ２１０に記録されているサービス情報を表示して、このサービス情報を更新（追加、変更、削除）することができるようにしてもよい。
【０１０６】
（サービス情報管理ＤＢ２１０に記録されたサービス情報の一例）
つぎに、サービス情報管理ＤＢ２１０に記録されたサービス情報の一例について説明する。図９は、サービス情報管理ＤＢ２１０に記録されたサービス情報の一例を示す説明図である。
【０１０７】
このサービス情報は、図８を用いて説明したように、企業ＩＤ「Ｃ００１」を有する企業「Ｎ英会話教室」に備えられた端末２０４から送信されたサービス情報を、融資情報提供装置２０１が受信して、図５を用いて説明した各種情報の登録処理が実行されたことによって、サービス情報管理ＤＢ２１０に記録されたものである。
【０１０８】
図９において、サービス情報管理ＤＢ２１０に記録されたサービス情報を示す表９００は、「サービスＩＤ」と、「企業ＩＤ」と、「企業名」と、「サービス名」と、「サービス内容」とによって構成されている。この表９００において、「企業ＩＤ」、「企業名」、「サービス名」および「サービス内容」には、図８を用いて説明したように画面８００（サービス情報登録画面）において入力されたサービス情報が設定される。また「サービスＩＤ」には、サービスを一意に識別するためのＩＤが設定される。
【０１０９】
（融資情報の登録画面の一例）
つぎに、融資情報の登録画面の一例について説明する。図１０は、融資情報の登録画面の一例を示す説明図である。
【０１１０】
図１０において、画面１０００（融資情報登録画面）は、企業ＩＤ「Ｃ００３」を有する企業「Ｍ銀行」に備えられた端末２０６において融資情報を登録する際に表示される画面であり、融資の対象とするサービスを選択する選択欄１００１と、融資条件を選択する選択欄１００２および１００３と、融資を利用するための成績条件を選択する選択欄１００４および１００５と、登録ボタン１００６とによって構成されている。なお、図１０に示すように融資情報には、複数のコースを設定することができ、それぞれのコースに対して融資条件および成績条件を設定することができる。
【０１１１】
たとえば選択欄１００１においては、図９に示したようにサービス情報管理ＤＢ２１０に記録されたサービスＩＤの中から、融資の対象とするサービスのサービスＩＤが選択される。また選択欄１００２においては、融資条件として返済における最大分割回数が選択される。また選択欄１００３においては、融資条件として利率が選択される。また選択欄１００４および選択欄１００５においては、融資を利用するための成績条件として科目および成績が選択される。
【０１１２】
そして、図１０に示すように融資情報が入力された状態のまま登録ボタン１００６が押下されることによって、この融資情報がネットワーク２２０を介して融資情報提供装置２０１へ送信される。さらに融資情報を受信した融資情報提供装置２０１においては、図５を用いて説明した手順による各種情報の登録処理がおこなわれることによって、この融資情報が融資情報管理ＤＢ２１２に記録される。
【０１１３】
たとえば、図１０に示すように、選択欄１００１において「１００１」が選択され、図１０に示す「コース１」のように、選択欄１００２において「２４（回）」が選択され、選択欄１００３において「０（％）」が選択され、選択欄１００４において「語学１」が選択され、選択欄１００５において「８」が選択された場合、サービスＩＤ「１００１」を有するサービス（お茶の間留学）を利用目的とした融資において、「語学１」の成績において「８」以上を取得した学生に対しては、最大分割回数「２４（回）」および利率「０（％）」を適用することができる旨を示す融資情報が、融資情報提供装置２０１に送信され、この融資情報が、融資情報管理ＤＢ２１２に記録される。
【０１１４】
また、たとえば図１０に示す「コース２」のように、選択欄１００２において「２４（回）」が選択され、選択欄１００３において「１．０（％）」が選択され、選択欄１００４において「語学１」が選択され、選択欄１００５において「７」が選択された場合、サービスＩＤ「１００１」を有するサービス（お茶の間留学）を利用目的とした融資において、「語学１」の成績において「７」以上を取得した学生に対しては、最大分割回数「２４（回）」および利率「１．０（％）」を適用することができる旨を示す融資情報が、融資情報提供装置２０１に送信され、融資情報管理ＤＢ２１２に記録される。
【０１１５】
このような融資情報登録画面は、たとえばＨＴＭＬ言語などの汎用的な言語によって記述され、ＷＥＢブラウザを備えたあらゆる情報端末装置によって表示可能なＷＥＢページであり、サーバ２０１から動的に送信され、端末２０６に備えられたＷＥＢブラウザによって画面上に表示されたものである。
【０１１６】
なお、たとえばこのような融資情報登録画面を介さずに融資情報をデータファイルに記録して、このデータファイルをサーバ２０１に送信するようにしてもよい。また、たとえばすでに融資情報管理ＤＢ２１２に記録されている融資情報を表示して、この融資情報を更新（追加、変更、削除）することができるようにしてもよい。また、たとえば融資情報に設定された各コースに対して複数件の成績条件（複合条件）を設定することができるようにしてもよい。
【０１１７】
また、上記においては、成績が高くなるにつれて、より融資条件が優遇されるように設定された融資情報を用いて説明したが、たとえば、英会話スクールなどのサービスでは、サービスを長期間利用してもらえる初心者の学生を敢えて優遇することも考えられるため、このようなサービスを利用目的とした融資においては、成績が低い場合であっても、融資条件が優遇されるように設定された融資情報を用いてもよい。
【０１１８】
（融資情報管理ＤＢ２１２に記録された融資情報の一例）
つぎに、融資情報管理ＤＢ２１２に記録された融資情報の一例について説明する。図１１は、融資情報管理ＤＢ２１２に記録された融資情報の一例を示す説明図である。この融資情報は、図１０を用いて説明したように、企業ＩＤ「Ｃ００３」を有する企業「Ｍ銀行」に備えられた端末２０６から送信された融資情報を、融資情報提供装置２０１が受信して、図５を用いて説明した各種情報の登録処理が実行されたことによって、融資情報管理ＤＢ２１２に記録されたものである。
【０１１９】
図１１において、融資情報管理ＤＢ２１２に記録された融資情報を示す表１１００は、「融資ＩＤ」と、「コースＩＤ」と、「融資対象サービスＩＤ」と、「企業ＩＤ」と、「企業名」と、「分割」と、「金利」と、「融資条件（科目）」と、「融資条件（スコア）」とによって構成されている。
【０１２０】
この表１１００において、「融資対象サービスＩＤ」、「企業ＩＤ」、「企業名」、「分割」、「金利」、「融資条件（科目）」、「融資条件（スコア）」には、図１０を用いて説明したように画面１０００（融資情報登録画面）において入力された融資情報が設定される。
【０１２１】
また、「融資ＩＤ」および「コースＩＤ」には、融資およびコースを一意に識別するためのＩＤが設定される。このように、融資情報管理ＤＢ２１２に記録された融資情報は、抽出部４１０によって読み取られ、この融資情報の中から、所定の学生によって利用することができる融資情報が抽出される。
【０１２２】
（支援情報の登録画面の一例）
つぎに、支援情報の登録画面の一例について説明する。図１２は、支援情報の登録画面の一例を示す説明図である。
【０１２３】
図１２において、画面１２００（支援情報登録画面）は、企業ＩＤ「Ｃ００５」を有する企業「Ｋ光学機器メーカー」に備えられた端末２０８において支援情報を登録する際に表示される画面であり、支援の対象とする融資を選択する選択欄１２０１と、支援の内容を選択する選択欄１２０２と、支援を利用するための成績条件を選択する選択欄１２０３および１２０４と、登録ボタン１２０５とによって構成されている。なお、図１２に示すように支援情報には、複数のコースを設定することができ、それぞれのコースに対して支援の内容および成績条件を設定することができる。
【０１２４】
たとえば選択欄１２０１においては、図１１に示したように融資情報管理ＤＢ２１０に記録された融資ＩＤの中から、支援の対象となる融資の融資ＩＤが選択される。また選択欄１２０２においては、支援の内容が選択される。また選択欄１２０３および選択欄１２０４においては、支援を利用するための成績条件として科目および成績が選択される。
【０１２５】
そして、画面１２００において支援情報が選択された状態のまま登録ボタン１２０５が押下されることによって、この支援情報がネットワーク２２０を介して融資情報提供装置２０１へ送信される。さらに支援情報を受信した融資情報提供装置２０１においては、図５を用いて説明した手順による各種情報の登録処理がおこなわれることによって、この支援情報が支援情報管理ＤＢ２１３に記録される。
【０１２６】
たとえば、図１２に示すように、選択欄１２０１において「２００１」が選択され、図１２に示す「コース１」のように、選択欄１２０２において「金利全額負担」が選択され、選択欄１２０３において「語学２」が選択され、選択欄１２０４において「９」が選択された場合、融資ＩＤ「２００１」を有する融資（お茶の間留学を利用目的とした融資）において、「語学２」の成績において「９」以上を取得した学生に対しては、「金利全額負担」の支援をおこなうことができる旨を示す支援情報が、融資情報提供装置２０１に送信され、この支援情報が、支援情報管理ＤＢ２１３に記録される。
【０１２７】
また、たとえば図１２に示す「コース２」のように、選択欄１２０２において「金利一部（５０％）負担」が選択され、選択欄１２０３において「語学２」が選択され、選択欄１２０４において「７」が選択された場合、融資ＩＤ「２００１」を有する融資（お茶の間留学を利用目的とした融資）において、「語学２」の成績において「７」以上を取得した学生に対しては、「金利一部（５０％）負担」の支援をおこなうことができる旨を示す支援情報が、融資情報提供装置２０１に送信され、この支援情報が、支援情報管理ＤＢ２１３に記録される。
【０１２８】
このような支援情報登録画面は、たとえばＨＴＭＬ言語などの汎用的な言語によって記述され、ＷＥＢブラウザを備えたあらゆる情報端末装置によって表示可能なＷＥＢページであり、サーバ２０１から動的に送信され、端末２０８に備えられたＷＥＢブラウザによって画面上に表示されたものである。なお、たとえばこのような支援情報登録画面を介さずに支援情報をデータファイルに記録して、このデータファイルをサーバ２０１に送信するようにしてもよい。
【０１２９】
また、たとえばすでに支援情報管理ＤＢ２１３に記録されている支援情報を表示して、この支援情報を更新（追加、変更、削除）することができるようにしてもよい。また、支援の内容は金利の一部または全額負担に限らずに、融資の返済や購入代金の支払いを支援する内容のものであれば、たとえば元本の一部または全額負担や、アルバイトの周旋などであってもよい。また、たとえば支援情報に設定された各コースに対して複数件の成績条件（複合条件）を設定することができるようにしてもよい。
【０１３０】
（支援情報管理ＤＢ２１３に記録された支援情報の一例）
つぎに、支援情報管理ＤＢ２１３に記録された支援情報の一例について説明する。図１３は、支援情報管理ＤＢ２１３に記録された支援情報の一例を示す説明図である。この支援情報は、図１２を用いて説明したように、企業ＩＤ「Ｃ００５」を有する企業「Ｋ光学機器メーカー」に備えられた端末２０８から送信された支援情報を、融資情報提供装置２０１が受信して、図５を用いて説明した各種情報の登録処理が実行されたことによって、支援情報管理ＤＢ２１３に記録されたものである。
【０１３１】
図１３において、支援情報管理ＤＢ２１３に記録された支援情報を示す表１３００は、「支援ＩＤ」と、「コースＩＤ」と、「支援対象融資ＩＤ」と、「企業ＩＤ」と、「企業名」と、「支援内容」と、「条件（科目）」と、「条件（スコア）」とによって構成されている。この表１１００において、「支援対象融資ＩＤ」、「企業ＩＤ」、「企業名」、「支援内容」、「条件（科目）」、「条件（スコア）」には、図１２を用いて説明したように画面１２００（支援情報登録画面）において入力された支援情報が設定される。
【０１３２】
また、「支援ＩＤ」および「コースＩＤ」には、支援およびコースを一意に識別するためのＩＤが設定される。このように、支援情報管理ＤＢ２１３に記録された支援情報は、抽出部４１０によって読み取られ、この支援情報の中から、所定の学生によって利用することができる支援情報が抽出される。
【０１３３】
（融資情報提供装置２０１による融資支援情報出力処理の手順）
つぎに、融資情報提供装置２０１による融資支援情報出力処理の手順について説明する。図１４は、この発明の本実施の形態にかかる融資情報提供装置２０１による融資支援情報出力処理の手順を示すフローチャートである。
【０１３４】
まず、問い合わせ情報取得部４０９によって、問い合わせ情報を取得したか否か（すなわち、学生Ａが保有する端末２０３において入力された問い合わせ情報を受信したか否か）を判断する（ステップＳ１４０１）。なお、問い合わせ情報の入力画面の一例については図１５を用いて後述する。
【０１３５】
ステップＳ１４０１において、問い合わせ情報を取得したと判断した場合（ステップＳ１４０１：Ｙｅｓ）は、抽出部４１０によって、ステップＳ１４０１で取得された問い合わせ情報と、成績情報管理ＤＢ２１１に記録されている成績情報とに基づいて、融資情報管理ＤＢ２１２に記録されている複数の融資情報の中から、所定の学生が利用可能な融資情報を抽出する（ステップＳ１４０２）。
【０１３６】
そして、抽出部４１０によって、ステップＳ１４０２で抽出された融資情報に基づいて、サービス情報管理ＤＢ２１０に記録されている複数のサービス情報の中から、ステップＳ１４０２で抽出された融資情報にかかるサービス情報を抽出する（ステップＳ１４０３）。
【０１３７】
さらに、抽出部４１０によって、ステップＳ１４０１で取得された問い合わせ情報と、成績情報管理ＤＢ２１１に記録されている成績情報と、ステップＳ１４０２で抽出された融資情報とに基づいて、支援情報管理ＤＢ２１３に記録されている複数の支援情報の中から、ステップＳ１４０２で抽出された融資情報にかかり、かつ所定の学生が利用可能な支援情報を抽出する（ステップＳ１４０４）。
【０１３８】
そして、学生Ａが保有する端末２０３に対して、ステップＳ１４０２〜ステップＳ１４０４で抽出された各種情報（融資情報、サービス情報および支援情報）を送信して（ステップＳ１４０５）、一連の処理を終了する。このとき、融資情報提供装置２０１から送信された各種情報（融資情報、サービス情報および支援情報）を受信した端末２０３においては、上記各種情報が、端末２０３に備えられたディスプレイの画面上に表示される。
【０１３９】
ここで、一連の処理を終了せずに、ステップＳ１４０１へ戻り、引き続き融資支援情報出力処理をおこなうようにしてもよい。なお、端末２０３に備えられたディスプレイの画面上に表示された各種情報の一例については図１５を用いて後述する。一方、ステップＳ１４０１において、問い合わせ情報を取得していないと判断した場合（ステップＳ１４０１：Ｎｏ）は、ステップＳ１４０１において、問い合わせ情報を取得したと判断されるまで（すなわち、学生Ａが保有する端末２０３において入力された問い合わせ情報を受信するまで）、繰り返しステップＳ１４０１の処理をおこなう。
【０１４０】
（問い合わせ情報の入力画面の一例）
つぎに、問い合わせ情報の入力画面の一例について説明する。図１５は、問い合わせ情報の入力画面の一例を示す説明図である。
【０１４１】
図１５において、画面１５００（問い合わせ情報入力画面）は、Ｓ大学に在籍する学生Ａが保有する端末２０３において、問い合わせ情報を入力する際に表示される画面であり、入力欄１５０１と、送信ボタン１５０２とによって構成されている。たとえば入力欄１５０１においては学籍番号が入力される。
【０１４２】
そして、入力欄１５０１において学籍番号が入力された状態のまま送信ボタン１５０２が押下されることによって、この学籍番号を含む問い合わせ情報がネットワーク２２０を介して融資情報提供装置２０１へ送信される。さらに問い合わせ情報を受信した融資情報提供装置２０１においては、この問い合わせ情報に基づき、図１４を用いて説明した手順による融資支援情報出力処理がおこなわれる。
【０１４３】
このような問い合わせ情報入力画面は、たとえばＨＴＭＬ言語などの汎用的な言語によって記述され、ＷＥＢブラウザを備えたあらゆる情報端末装置によって表示可能なＷＥＢページであり、サーバ２０１から動的に送信され、端末２０３に備えられたＷＥＢブラウザによって画面上に表示されたものである。
【０１４４】
（端末２０３に備えられたディスプレイの画面上に表示された各種情報の一例）
つぎに、端末２０３に備えられたディスプレイの画面上に表示された各種情報の一例について説明する。図１６は、端末２０３に備えられたディスプレイの画面上に表示された各種情報の一例を示す説明図である。
【０１４５】
図１６において、画面１６００は、Ｓ大学に在籍し、学籍番号「０００００１」および氏名「○○  △△」を有する学生Ａが保有する端末２０３に表示された画面であり、学生Ａが利用可能な融資情報と、学生Ａが利用可能な融資情報にかかるサービス情報と、学生Ａが利用可能な融資情報にかかり、かつ学生Ａが利用可能な支援情報とが表示されている。
【０１４６】
この画面１６００は、図１５を用いて説明したように、問い合わせ情報入力画面において入力された問い合わせ情報がサーバ２０１に対して送信され、サーバ２０１において図１４を用いて説明した手順による融資支援情報出力処理がおこなわれたことによって、サーバ２０１から送信され、端末２０３に備えられたディスプレイの画面上に表示されたものである。
【０１４７】
図１６において、たとえば画面１６００には、学生Ａが利用可能な２件の融資情報と、それぞれの融資情報にかかるサービス情報とが示されている。このうち、融資情報は、図１４を用いて説明した手順による融資支援情報出力処理において、図７に示した成績情報管理ＤＢ２１１に記録された成績情報に基づいて、図１１に示した融資情報管理ＤＢ２１２に記録された融資情報の中から、抽出部４１０によって抽出されたものである。
【０１４８】
また、サービス情報は、図１４を用いて説明した手順による融資支援情報出力処理において、融資情報管理ＤＢ２１２から抽出された融資情報に基づいて、図９に示したサービス情報管理ＤＢ２１０に記録されたサービス情報の中から、抽出部４１０によって抽出されたものである。
【０１４９】
たとえば、画面１６００には、学生Ａが利用可能な融資情報として、融資ＩＤ「２００１」およびコースＩＤ「０１」を有する融資情報が表示されている。また、この融資情報にかかるサービス情報として、サービスＩＤ「１００１」を有するサービス情報（すなわち、「Ｎ英会話教室」によって提供されたサービス「駅前留学」）が表示されている。
【０１５０】
また、たとえば画面１６００には、学生Ａが利用可能な融資情報として、融資ＩＤ「２００２」およびコースＩＤ「０１」を有する融資情報が表示されている。また、この融資情報にかかるサービス情報として、サービスＩＤ「１００３」を有するサービス情報（すなわち、「Ｊ旅行会社」によって提供されたサービス「卒業旅行パック」）が表示されている。
【０１５１】
この融資情報は、図１４を用いて説明した手順による融資支援情報出力処理において、図７に示した成績情報に設定されている学生Ａの成績（科目「語学１」のスコア「９」、科目「出席率」のスコア「８」）を抽出条件とした融資情報の抽出処理が抽出部４１０によっておこなわれたことによって、図１１に示した融資情報の中から抽出されたものである。
【０１５２】
また、たとえば画面１６００には、抽出部４１０によって抽出された２件の融資情報のそれぞれにかかる、学生Ａが利用可能な支援情報が示されている。この支援情報は、図１４を用いて説明した手順による融資支援情報出力処理において、図７に示した成績情報管理ＤＢ２１１に記録された成績情報に基づいて、図１３に示した支援情報管理ＤＢ２１３に記録された融資情報の中から抽出部４１０によって抽出されたものである。
【０１５３】
たとえば、画面１６００には、融資ＩＤ「２００１」およびコースＩＤ「０１」を有する融資情報に対して学生Ａが利用可能な支援情報として、支援ＩＤ「３００１」およびコースＩＤ「０２」を有する支援情報が表示されている。また、たとえば画面１６００には、融資ＩＤ「２００２」およびコースＩＤ「０１」を有する融資情報に対して学生Ａが利用可能な支援情報として、支援ＩＤ「３００２」およびコースＩＤ「０１」を有する支援情報が表示されている。
【０１５４】
この支援情報は、図１４を用いて説明した手順による融資支援情報出力処理において、図７に示した成績情報に設定されている学生Ａの成績（科目「語学２」のスコア「７」）を抽出条件とした支援情報の抽出処理が抽出部４１０によっておこなわれたことによって、図１３に示した支援情報の中から抽出されたものである。
【０１５５】
また、画面１６００には、融資ＩＤ「２００１」およびコースＩＤ「０１」を有する融資情報に対する申し込みボタン１６０１と、融資ＩＤ「２００２」およびコースＩＤ「０１」を有する融資情報に対する申し込みボタン１６０２とが表示されており、これら申し込みボタン１６０１および１６０２には、たとえば上記融資情報を提供する企業（たとえば「Ｍ銀行」、「Ｐ金融業者」）によって設けられたＷＥＢページ（融資申し込み画面）へアクセスするためのＵＲＬがリンクされている。そして、たとえば学生Ａによって申し込みボタン１６０１および１６０２が押下されることによって、端末２０３に備えられたディスプレイの画面上に、上記ＷＥＢページ（融資申し込み画面）が表示される。
【０１５６】
このような画面１６００および画面１６００に表示された各種情報は、たとえばＨＴＭＬ言語などの汎用的な言語によって記述され、ＷＥＢブラウザを備えたあらゆる情報端末装置によって表示可能なＷＥＢページであり、サーバ２０１から動的に送信され、端末２０３に備えられたＷＥＢブラウザによって画面上に表示されたものである。
【０１５７】
以上説明したように、本実施の形態における融資情報提供装置２０１によれば、融資情報管理ＤＢ２１２および支援情報管理ＤＢ２１３に記録されている融資情報および支援情報の中から抽出された、所定の学生が利用可能であり、かつ所定の学生の成績に応じた融資情報および支援情報を所定の情報端末装置（たとえば学生Ａが保有する端末２０３）に対して送信する構成とした。これにより、学生による融資の利用を効率的かつ確実に支援し、学生にかかる支払いなどの負担を軽減することができるうえ、学生による各種活動を促進することで、教育機関内において優秀な学生の育成を図ることができる。
【０１５８】
また、本実施の形態における融資情報提供装置２０１によれば、所定の情報端末装置（たとえば端末２０２〜２０８）においてＷＥＢブラウザを用いて入力された各種情報（サービス情報、融資情報、支援情報、問い合わせ情報）を、この各種情報が入力された所定の情報端末装置からインターネットを介して取得する構成とした。
【０１５９】
このため、効率的かつ確実に上記各種情報を取得することができるだけでなく、インターネットに接続されＷＥＢブラウザを備えたあらゆる情報端末装置において入力された上記各種情報を取得することができる。これにより、専用の情報端末装置、ソフトウェア、ネットワーク回線などを設ける必要がないため、たとえば融資情報管理システム２００の構築費用および維持管理費用などを圧縮することができる。
【０１６０】
なお、本実施の形態においては、各提携企業による融資の一例として、サービス情報管理ＤＢ２１０に記録されているサービス情報にかかるサービスの利用に対する融資を用いて説明したが、これに限らず、たとえば用途が制限されない融資であってもよい。また、サービス情報管理ＤＢ２１０に記録されているサービス情報にかかるサービス以外に対する融資など、サービス情報との関連性がない融資であってもよい。
【０１６１】
また、各提携企業による融資に適用される利率は、融資申込み時の利率による固定金利に限らずに、たとえば定期的に利率を見直し、その都度学生の成績に応じた利率が適用される変動金利であってもよい。
【０１６２】
また、本実施の形態においては、各提携企業による支援の一例として、融資情報管理ＤＢ２１２に記録されている融資情報にかかる融資に対する金利の一部または全額負担およびアルバイト周旋を用いて説明したが、これに限らず、たとえば元本の一部または全部負担、授業料の一部または全額免除、物品購入費の一部または全額負担などの金銭的な支援であってもよい。また、融資情報管理ＤＢ２１２に記録されている融資情報にかかる融資以外に対する支援など、融資情報との関連性がない支援であってもよい。
【０１６３】
また、本実施の形態においては、所定の情報端末装置（たとえば学生Ａが保有する端末２０３）において入力された問い合わせ情報を取得した際に、各種情報（融資情報および支援情報）を上記所定の情報端末装置に対して送信する構成としたが、これに限らず、たとえば定期的に各種情報を上記所定の情報端末装置に対して送信する構成であってもよい。また、たとえば図１５に示したような問い合わせ情報を入力する画面において、融資情報および支援情報の検索範囲や検索条件を指定できるようにしてもよい。
【０１６４】
また、本実施の形態においては、所定の学生（たとえば学生Ａ）が利用可能であり、かつ所定の学生の成績に応じた情報のみを所定の情報端末装置（たとえば学生Ａが保有する端末２０３）に対して送信する構成としたが、これに限らず、たとえば同時に、利用が不可能な情報およびその理由（なぜ利用が不可能なのか）に関する情報を送信する構成であってもよい。
【０１６５】
また、本実施の形態においては、融資情報管理ＤＢ２１２および支援情報管理ＤＢ２１３を備え、所定の学生（たとえば学生Ａ）が利用可能な融資情報および支援情報を所定の情報端末装置（たとえば学生Ａが保有する端末２０３）に対して送信する構成としたが、
融資情報管理ＤＢ２１２または支援情報管理ＤＢ２１３のいずれか一方のデータベースを備え、融資情報または支援情報のいずれか一方の情報を送信する構成としてもよい。
【０１６６】
また、本実施の形態においては、所定の学生（たとえば学生Ａ）が利用可能な融資情報および支援情報をＷＥＢブラウザによって表示可能なＷＥＢページ形式として、所定の情報端末装置（たとえば学生Ａが保有する端末２０３）に対して送信する構成としたが、たとえば電子メール形式で送信する構成としてもよい。また、どの形式によって送信するかを所定の学生があらかじめ指定できるようにしてもよい。
【０１６７】
なお、図５を用いて説明した各種情報の登録処理の手順は、便宜上、一つのプログラム上で各種処理（各種情報の各種データベースへの記録処理）が順に実行されるように記載しているが、この限りではなく、たとえば上記各種処理の順番が前後入れ替わってもよい。また、たとえば上記各種処理ごとにプログラムを設け、それぞれが並列して実行されるようにしてもよい。
【０１６８】
なお、本実施の形態で説明した融資情報提供方法は、あらかじめ用意されたプログラムをパーソナル・コンピュータやワークステーションなどの融資情報提供装置で実行することにより実現することができる。このプログラムは、ＲＡＭ、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【０１６９】
また、本発明にかかる融資情報提供装置、融資情報提供方法、および融資情報提供プログラムは、本実施の形態で説明したような、大学が学生に対して、各種情報（融資情報、支援情報）を提供する際に限らず、たとえば専門学校、予備校、通信制学校、塾など大学以外の教育機関が学生に対して各種情報（融資情報、支援情報）を提供する際に利用することもできる。また、たとえば会社が社員に対して各種情報（融資情報、支援情報）を提供する際に利用することもできる。
【産業上の利用可能性】
【０１７０】
以上のように、本発明にかかる融資情報提供装置、融資情報提供方法、および融資情報提供プログラムは、教育機関における融資情報提供業務に利用可能であり、たとえば、学生に対する好適な融資に関する情報の提供の効率化に適している。
【図面の簡単な説明】
【０１７１】
【図１】この発明の本実施の形態にかかる融資情報提供装置、融資情報提供方法、および融資情報提供プログラムの概要を示す説明図である。
【図２】この発明の本実施の形態にかかる融資情報提供装置を含む全体システムの構成を示す説明図である。
【図３】融資情報提供装置のハードウェア構成の一例を示すブロック図である。
【図４】この発明の本実施の形態にかかる融資情報提供装置の機能的構成の一例を示すブロック図である。
【図５】この発明の本実施の形態にかかる融資情報提供装置による各種情報の登録処理の手順を示すフローチャートである。
【図６】成績情報の登録画面の一例を示す説明図である。
【図７】成績情報管理ＤＢに記録された成績情報の一例を示す説明図である。
【図８】サービス情報の登録画面の一例を示す説明図である。
【図９】サービス情報管理ＤＢに記録されたサービス情報の一例を示す説明図である。
【図１０】融資情報の登録画面の一例を示す説明図である。
【図１１】融資情報管理ＤＢに記録された融資情報の一例を示す説明図である。
【図１２】支援情報の登録画面の一例を示す説明図である。
【図１３】支援情報管理ＤＢに記録された支援情報の一例を示す説明図である。
【図１４】この発明の本実施の形態にかかる融資情報提供装置による融資支援情報出力処理の手順を示すフローチャートである。
【図１５】問い合わせ情報の入力画面の一例を示す説明図である。
【図１６】端末に備えられたディスプレイの画面上に表示された各種情報の一例を示す説明図である。
【符号の説明】
【０１７２】
２００  融資情報管理システム
２０１  融資情報提供装置
２０２  端末
２０３  端末
２０４  端末
２０５  端末
２０６  端末
２０７  端末
２０８  端末
２１０  サービス情報管理ＤＢ
２１１  成績情報管理ＤＢ
２１２  融資情報管理ＤＢ
２１３  支援情報管理ＤＢ
２２０  ネットワーク
４０１  成績情報取得部
４０２  成績情報記録部
４０３  サービス情報取得部
４０４  サービス情報記録部
４０５  融資情報取得部
４０６  融資情報記録部
４０７  支援情報取得部
４０８  支援情報記録部
４０９  問い合わせ情報取得部
４１０  抽出部
４１１  出力部
【図１】
2007328561.tif 000003
【図２】
2007328561.tif 000004
【図３】
2007328561.tif 000005
【図４】
2007328561.tif 000006
【図５】
2007328561.tif 000007
【図６】
2007328561.tif 000008
【図７】
2007328561.tif 000009
【図８】
2007328561.tif 000010
【図９】
2007328561.tif 000011
【図１０】
2007328561.tif 000012
【図１１】
2007328561.tif 000013
【図１２】
2007328561.tif 000014
【図１３】
2007328561.tif 000015
【図１４】
2007328561.tif 000016
【図１５】
2007328561.tif 000017
【図１６】
2007328561.tif 000018